(57)【要約】【課題】リターナブル梱包材を成す側面板を提供する。【解決手段】側面板は、梱包材の一側面を成す本体壁と、同本体壁の端部から折り曲げられたリブ壁とを含んでいる。本体壁は、上下方向に折れ曲がり可能とする折りたたみ部を有している。リブ壁は前記本体壁の折りたたみ部と連続するように切断され上下に分割されており、上下一方の分割片に凹部が形成され、他方の分割片に凸部が形成されて成る嵌合部を有し、少なくとも嵌合状態とすると水平方向への動きを拘束可能で、嵌合状態を解除すると上下方向に折れ曲がり可能な構成とされている。【選択図】図１
2008001399.tif 000002
【特許請求の範囲】
【請求項１】
リターナブル梱包材を成す側面板であって、
側面板は、梱包材の一側面を成す本体壁と、同本体壁の端部から折り曲げられたリブ壁とを含んでおり、
本体壁は、上下方向に折れ曲がり可能とする折りたたみ部を有すること、
リブ壁は前記本体壁の折りたたみ部と連続するように切断され上下に分割されており、上下一方の分割片に凹部が形成され、他方の分割片に凸部が形成されて成る嵌合部を有し、少なくとも嵌合状態とすると水平方向への動きを拘束可能で、嵌合状態を解除すると上下方向に折れ曲がり可能であること、
を特徴とする、リターナブル梱包材の側面板。
【請求項２】
リブ壁は多層構造とされており、所定の層に嵌合部が形成されていることを特徴とする、請求項１に記載のリターナブル梱包材の側面板。
【請求項３】
嵌合部は複数個有することを特徴とする、請求項１又は２に記載のリターナブル梱包材の側面板。
【請求項４】
リブ壁に、同リブ壁の切断部分を補強する補強板が着脱可能に設けられていることを特徴とする、請求項１又は２に記載のリターナブル梱包材の側面板。
【請求項５】
補強板はリブ壁の切断部分を跨ぐように設けられており、上下一方の端部が一方の分割片に接合され、他方の端部は他方側の分割片に着脱可能に接合されていることを特徴とする、請求項４に記載のリターナブル梱包材の側面板。
【請求項６】
補強板はリブ壁の切断部分を覆うように設けられており、左右一方の端部が一方の分割片に接合され、他方の端部は他方側の分割片に着脱可能に接合されていることを特徴とする、請求項４に記載のリターナブル梱包材の側面板。
【発明の詳細な説明】
【技術分野】
【０００１】
本発明はリターナブル梱包材を成す側面板の技術分野に属し、更に云うと、組み立てた際には強い圧縮耐力を発揮し、折りたたんだ際にはコンパクトになる側面板に関する。
【背景技術】
【０００２】
通例のリターナブル梱包材（以下、梱包材と省略する場合がある。）１は、被梱包物２の上面を覆う蓋状の天板３と、下面を覆う籠状の底板４と、側面を覆う側面板５とを有している（図１０を参照）。被梱包物２を梱包した梱包材１は積み重ねて現場サイトに搬入される。側面板５は梱包材１の一側面を成す本体壁５ａと同本体壁５ａの端部から折り曲げられたリブ壁５ｂとから成り、梱包材１が現場サイトに搬入され梱包が解かれると、側面板５のリブ壁５ｂが折りたたまれて箱体を成す天板３と底板４の中に収納され、被梱包物の製造メーカーに返却される（図１１を参照）。そのため、繰り返して使用することができ、環境に優しく、コストの削減にも寄与する特徴を有する。
【０００３】
しかし、高さのある被梱包物を梱包する際には、側面板の高さが必然的に高くなり、側面板を折りたたんでも嵩張る問題があった。
【０００４】
そこで、側面板の高さ略中央位置に折りたたみ部を形成し、上下方向にも折りたたむことでコンパクト化を実現した技術が特許出願されている（特許文献１を参照）。
【０００５】
【特許文献１】特開２００６−１６０４号公報
【発明の開示】
【発明が解決しようとする課題】
【０００６】
上記特許文献１の技術は、側面板の高さ略中央位置に折りたたみ部を形成し、上下方向にも折りたたむことでコンパクト化を実現しているが、折りたたみ部が形成されているが故に、梱包材を積み重ねた際に下位の梱包材の側面板が荷重に耐えきれずに、前記折りたたみ部で折れ曲がり、梱包材が押し潰されてしまう。そのため、多くの梱包材を積み重ねることができず、輸送効率が低下する問題がある。
【０００７】
本発明の目的は、コンパクト化と高い輸送効率との両立を図ることができる、リターナブル梱包材の側面板を提供することである。
【課題を解決するための手段】
【０００８】
上記した背景技術の課題を解決するための手段として、請求項１に記載した発明に係るリターナブル梱包材の側面板は、
リターナブル梱包材を成す側面板であって、
側面板は、梱包材の一側面を成す本体壁と、同本体壁の端部から折り曲げられたリブ壁とを含んでおり、
本体壁は、上下方向に折れ曲がり可能とする折りたたみ部を有すること、
リブ壁は前記本体壁の折りたたみ部と連続するように切断され上下に分割されており、上下一方の分割片に凹部が形成され、他方の分割片に凸部が形成されて成る嵌合部を有し、少なくとも嵌合状態とすると水平方向への動きを拘束可能で、嵌合状態を解除すると上下方向に折れ曲がり可能であること、
を特徴とする。
【０００９】
請求項２記載の発明は、請求項１に記載のリターナブル梱包材の側面板において、
リブ壁は多層構造とされており、所定の層に嵌合部が形成されていることを特徴とする。
【００１０】
請求項３記載の発明は、請求項１又は２に記載のリターナブル梱包材の側面板において、
嵌合部は複数個有することを特徴とする。
【００１１】
請求項４記載の発明は、請求項１又は２に記載のリターナブル梱包材の側面板において、
リブ壁に、リブ壁の切断部分を補強する補強板が着脱可能に設けられていることを特徴とする。
【００１２】
請求項５記載の発明は、請求項４に記載のリターナブル梱包材の側面板において、
補強板はリブ壁の切断部分を跨ぐように設けられており、上下一方の端部が一方の分割片に接合され、他方の端部は他方側の分割片に着脱可能に接合されていることを特徴とする。
【００１３】
請求項６記載の発明は、請求項４に記載のリターナブル梱包材の側面板において、
補強板はリブ壁の切断部分を覆うように設けられており、左右一方の端部が一方の分割片に接合され、他方の端部は他方側の分割片に着脱可能に接合されていることを特徴とする。
【発明の効果】
【００１４】
本発明に係るリターナブル梱包材の側面板は、リブ壁が本体壁の折りたたみ部と連続するように切断され上下に分割されており、上下一方の分割片に凹部が形成され、他方の分割片に凸部が形成されて成る嵌合部を有し、少なくとも嵌合状態とすると、水平方向への動きが拘束され、上下の分割片がズレ動くことがないので、本体壁と直交する方向において作用する内側への回転力に起源する水平力が、上位の分割片から下位の分割片へ良好に伝達され、上下の分割片が一体となって前記水平力に対して抵抗する。一方、本体壁と平行な方向に作用する回転力に対しては本体壁が抵抗する。
【００１５】
したがって、高い圧縮耐力を発揮するので、梱包材を積み重ねても、下位の梱包材が押し潰されることがなく、従来の梱包材に比べて、多くの梱包材を積み重ねることができ、運搬効率の向上に寄与できる。
【００１６】
しかも、本体壁とリブ壁を折りたたむことで、側面板のコンパクト化を実現できる。
【００１７】
よって、本発明に係るリターナブル梱包材の側面板は、コンパクト化と高い輸送効率との両立を図ることができる。
【発明を実施するための最良の形態】
【００１８】
＜実施形態１＞
本発明に係るリターナブル梱包材の側面板の実施形態１を、図１〜図３に基づいて説明する。
【００１９】
図１は本実施形態の側面板５を示す斜視図である。図１に示す側面板５は、通例の側面板と同様に、梱包材１の一側面を成す本体壁５ａと、同本体壁５ａの端部から折り曲げられたリブ壁５ｂとから成り、本体壁５ａの高さ略中央位置（但しこの限りでない。）に折りたたみ部６を有する。しかし、リブ壁５ｂは前記本体壁５ａの折りたたみ部６と連続するように切断され上下に分割されており、上下一方の分割片７（８）に凹部９が形成され、他方の分割片８（７）に凸部１０が形成されて成る嵌合部１１を複数個有する。
【００２０】
図２は側面板５の組み立て前の状態を示す平面図である。プラスチック段ボール（但し、ポリエチレンボード、ポリプロピレンボードでも良い。）で構成されており、中央の領域は本体壁５ａに相当する領域で、同本体壁５ａの高さ略中央位置に凹み部（図示は省略）が水平に形成され折りたたみ部６とされている。本体壁５ａの左右の領域は組み立てた際に外層部５ｂ1と内層部５ｂ2と中層部５ｂ3とを成すリブ壁５ｂに相当する領域で、同リブ壁５ｂに相当する領域は、上下の分割片７、８を形成しつつ、嵌合部１１を形成するために、前記本体壁５ａの折りたたみ部６と連続するように切断されている。
【００２１】
具体的に云うと、外層部５ｂ1に相当する領域は嵌合部１１が形成されることなく、水平に切断されている。
【００２２】
内層部５ｂ2に相当する領域は嵌合部１１ａと１１ｂが形成されつつ、上下に切断されている。通例、梱包材に圧縮力が作用すると側面板は外側に湾曲した形態となる。つまり、リブ壁５ｂには本体壁５ａと直交する方向において内側への回転力Ａ（図１を参照）が作用していることになる。そのため、嵌合部１１ａ、１１ｂは前記回転力Ａに起源する水平力に対して嵌合状態が解除されにくい形状とすることが好ましい。圧縮力が作用しても、上下の分割片７と８がズレ動くことなく、しっかりと圧縮力に対して抵抗できる。一方、本体壁５ｂと直交する方向において作用する外側への回転力Ｂ（図１を参照）に対しては、嵌合状態が解除されやすい形状とすることが好ましい。上位の分割片７に前記回転力Ｂを作用させると、嵌合部１１ａ、１１ｂの嵌合状態を解除でき、詳細は後述するが、簡単に側面板５を折りたたむことができる。上記の形状を実現するために、本実施形態の嵌合部１１ａ、１１ｂは、上下に一つずつ突出する形態で略扇形状の凸部１０と、同凸部１０に対応する凹部９が形成されており、前記凸部１０のＲ部分１０ａの端部と中心点とを結んだ側縁部分１０ｂは、回転力Ａが作用した際に凹部９と強く接触して抵抗する。
【００２３】
中層部５ｂ3に相当する領域は嵌合部１１ｃが形成されつつ、上下に切断されている。この場合も、嵌合部１１ｃは回転力Ａに起源する水平力に対して嵌合状態が解除されにくく、回転力Ｂに対しては嵌合状態が解除されやすい形状とすることが好ましい。嵌合部１１ｃは下方へ突出する形態で略扇形状の凸部１０と、同凸部１０に対応する凹部９とが形成されており、前記凸部１０のＲ部分１０ａの端部と中心点とを結んだ側縁部分１０ｂは、回転力Ａが作用した際に凹部９と強く接触して抵抗する。ちなみに、嵌合部１１ｃの凸部１０は、上記嵌合部１１ａ、１１ｂの凸部１０より大きく形成しておくことが好ましい。通例、梱包材に圧縮力が作用した際には、リブ壁５ｂに本体壁５ａと平行な方向において内側への回転力Ｃ（図１を参照）も作用する。組み立てられた状態で前記嵌合部１１ｃの凸部１０は、下位の分割片８における外層部５ｂ1と内層部５ｂ2とに挟み込まれるので、回転力Ｃが作用しても、上下の分割片７と８がズレ動くことを防止できる（図１を参照）。
【００２４】
組み立てる際には、先ずリブ壁５ｂの中層部５ｂ3に相当する領域を内側に折りたたみ、重なった前記中層部５ｂ3に相当する領域と内層部５ｂ2に相当する領域とを接合して内側に折りたたむ。最後に、重なった前記中層部５ｂ3に相当する領域と、内層部５ｂ2に相当する領域と、外層部５ｂ1に相当する領域とを接合して、本体壁５ａに相当する領域に対して直角に折り曲げると、図１に示した形態の側面板５が完成する。その結果、リブ壁５ｂの上位の分割片７における内層部５ｂ2に、凹部９と凸部１０が連続する形態で形成され、更に中層部５ｂ3に凹部９が形成されている。そして、下位の分割片８における内層部５ｂ2に、上位の分割片７の凹部９と対応する凸部１０、及び同じく上位の分割片７の凸部１０に対応する凹部９が連続する形態で形成され、更に中層部５ｂ3に上位の分割片７の凹部９と対応する凸部１０が形成されている。つまり、リブ壁５ｂは内層部５ｂ2に二個の嵌合部１１ａ、１１ｂを有し、更に中層部５ｂ3に一個の嵌合部１１ｃを有する構成となる。そのため、梱包材１を積み重ねて圧縮力が作用しても、上下の分割片７と８がズレ動いたりすることなく、回転力Ａに起源する水平力が、上位の分割片７から下位の分割片８へ良好に伝達され、上下の分割片７と８が一体となって前記水平力に対して抵抗する。一方、回転力Ｂに対しては本体壁５ａが抵抗する。しかも、中層部５ｂ3の嵌合部１１ｃの凸部１０は、下位の分割片８における外層部５ｂ1と内層部５ｂ2とで挟み込まれているので、回転力Ｃが作用しても、上下の分割片７と８がズレ動くことがない。
【００２５】
以上より、図１に示す側面板５は高い圧縮耐力を発揮するので、梱包材１を積み重ねても、下位の梱包材１が押し潰されることがなく、従来の梱包材に比べて、多くの梱包材を積み重ねることができ、運搬効率の向上に寄与できる。
【００２６】
図３は側面板５を折りたたむ際の手順を示す斜視図である。梱包材１の梱包が解かれると、組み立てられた状態から上下方向（矢印Ｄ方向）に折りたたむ。その結果、リブ壁５ｂは上位の分割片７と下位の分割片８とに折りたたまれると共に、本体壁５ａが上下に折りたたまれる。そして、上下の分割片７、８を内側（本体壁側）に折りたたむと、側面板５の折りたたみ作業は完了し、通例の側面板と同様に、箱体を成す天板と底板との中に収納し、製造メーカーに返却する。本体壁５ａ、リブ壁５ｂを折りたたむことで、側面板５のコンパクト化を実現できる。
【００２７】
＜実施形態２＞
本発明に係るリターナブル梱包材の側面板の実施形態２を、図４〜図６に基づいて説明する。
【００２８】
図４は本実施形態の側面板１５を示す斜視図である。図４に示す側面板１５も、通例の側面板と同様に、梱包材１の一側面を成す本体壁１５ａと、同本体壁１５ａの端部から折り曲げられたリブ壁１５ｂとから成り、本体壁１５ａの高さ略中央位置（但しこの限りでない。）に折りたたみ部１６を有する。しかし、リブ壁１５ｂは前記本体壁１５ａの折りたたみ部１６と連続するように切断され上下に分割されており、上下一方の分割片１７（１８）に凹部１９が形成され、他方の分割片１８（１７）に凸部２０が形成されて成る嵌合部２１を複数個有する。
【００２９】
図５は側面板１５の組み立て前の状態を示す平面図である。プラスチック段ボール（但し、ポリエチレンボード、ポリプロピレンボードでも良い。）で構成されており、中央の領域は本体壁１５ａに相当する領域で、同本体壁１５ａの高さ略中央位置に凹み部（図示は省略）が水平に形成され折りたたみ部１６とされている。本体壁１５ａの左右の領域は組み立てた際に外層部１５ｂ1と内層部１５ｂ2とを成すリブ壁１５ｂに相当する領域で、同リブ壁１５ｂに相当する領域は、上下の分割片１７、１８を形成しつつ、嵌合部２１を形成するために、前記本体壁１５ａの折りたたみ部１６と連続するように切断されている。
【００３０】
具体的に云うと、外層部１５ｂ1に相当する領域は嵌合部２１ａが形成されつつ、上下に切断されている。前記嵌合部２１ａも本体壁１５ａと直交する方向において作用する内側への回転力Ａ（図４を参照）に起源する水平力に対して、嵌合状態が解除されにくい形状とされており、下方へ突出する半円形状の凸部２０と、同凸部２０に対応する凹部１９とが形成されている。
【００３１】
内層部１５ｂ2に相当する領域は嵌合部２１ｂが形成されつつ、上下に切断されている。前記嵌合部２１ｂも回転力Ａに起源する水平力に対して、嵌合状態が解除されにくい形状とされており、上方へ突出する半円形状の凸部２０と、同凸部２０に対応する凹部１９とが形成されている。なお、図示例のように、内層部１５ｂ2に相当する領域の切断位置は、外層部１５ｂ1に相当する領域の切断位置と段差を設けていることが好ましい。通例、梱包材に圧縮力が作用した際には、リブ壁１５ｂに本体壁１５ａと平行な方向において内側への回転力Ｃ（図４を参照）も作用するので、切断位置に段差を設けておけば、前記回転力Ｃが作用しても、上下の分割片１７と１８がズレ動くことがない。
【００３２】
組み立てる際には、リブ壁１５ｂの内層部１５ｂ2に相当する領域を内側に折りたたみ、重なった前記内層部１５ｂ2に相当する領域と外層部１５ｂ1に相当する領域とを接着して、本体壁１５ａに相当する領域に対して直角に折り曲げると、図４に示した形態の側面板１５が完成する。その結果、リブ壁１５ｂは外層部１５ｂ1と内層部１５ｂ2とに、それぞれ一個ずつ嵌合部２１ａ、２１ｂを有する構成となる。そのため、梱包材１を積み重ねて圧縮力が作用しても、上下の分割片１７と１８がズレ動いたりすることなく、回転力Ａに起源する水平力が、上位の分割片１７から下位の分割片１８へ良好に伝達され、上下の分割片１７と１８が一体となって前記水平力に対して抵抗する。一方、回転力Ｃに対しては本体壁１５ａが抵抗する。しかも、外層部１５ｂ1と内層部１５ｂ2の切断位置に段差が設けられているので、回転力Ｃが作用しても、上下の分割片１７と１８がズレ動くことがない。
【００３３】
以上より、図４に示す側面板１５は高い圧縮耐力を発揮するので、梱包材１を積み重ねても、下位の梱包材１が押し潰されることがなく、従来の梱包材に比べて、多くの梱包材を積み重ねることができ、運搬効率の向上に寄与できる。ちなみに、リブ壁１５ｂの切断部分を跨ぐように、着脱可能な補強板２２が設けられていると、より強固に圧縮力に対して抵抗できる。本実施形態の補強板２２は、上端部が上位の分割片１７に接着剤（図示は省略）等で接合され、下端部が下位の分割片１８にテープファスナー（図示は省略）等で着脱可能に接合されている。
【００３４】
図６は側面板１５を折りたたむ際の手順を示す部分斜視図である。梱包材１の梱包が解かれると、組み立てられた状態から補強板２２（図６では省略）の下端部の接合状態を解除して、リブ壁１５ｂを本体壁１５ａと平行となるように（矢印Ｅ方向に）広げ、上下方向（矢印Ｄ方向）に折りたたむ。そして、上下の分割片１７、１８を内側（本体壁側）へ折りたたむと、側面板１５の折りたたみ作業は完了し、通例の側面板と同様に、箱体を成す天板と底板との中に収納し、製造メーカーに返却する。本体壁１５ａ、リブ壁１５ｂを折りたたむことで、側面板１５のコンパクト化を実現できる。
【００３５】
＜実施形態３＞
本発明に係るリターナブル梱包材の側面板の実施形態３を、図７〜図９に基づいて説明する。
【００３６】
図７は本実施形態の側面板２５を示す斜視図である。図７に示す側面板２５も、通例の側面板と同様に、梱包材１の一側面を成す本体壁２５ａと、同本体壁２５ａの端部から折り曲げられたリブ壁２５ｂとから成り、本体壁２５ａの高さ略中央位置（但しこの限りでない。）に折りたたみ部２６を有する。しかし、リブ壁２５ｂは前記本体壁２５ａの折りたたみ部２６と連続するように切断され上下に分割されており、上下一方の分割片２７（２８）に凹部２９が形成され、他方の分割片２８（２７）に凸部３０が形成されて成る嵌合部３１を複数個有する。
【００３７】
図８は側面板２５の組み立て前の状態を示す平面図である。プラスチック段ボール（但し、ポリエチレンボード、ポリプロピレンボードでも良い。）で構成されており、中央の領域は本体壁２５ａに相当する領域で、同本体壁２５ａの高さ略中央位置に凹み部（図示は省略）が水平に形成され折りたたみ部２６とされている。本体壁２５ａの左右の領域は組み立てた際に外層部２５ｂ1と内層部２５ｂ2とを成すリブ壁２５ｂに相当する領域で、同リブ壁２５ｂに相当する領域は、上下の分割片２７、２８を形成しつつ、嵌合部３１を形成するために、前記本体壁２５ａの折りたたみ部２６と連続するように切断されている。
【００３８】
具体的に云うと、外層部２５ｂ1に相当する領域は嵌合部３１ａが形成されつつ、上下に切断されている。前記嵌合部３１ａは本体壁２５ａと直交する方向において作用する内側への回転力Ａ（図７を参照）に起源する水平力に対して、嵌合状態が解除されにくい形状とされており、下方へ突出する台形状の凸部３０と、同凸部３０に対応する凹部２９とが形成されている。
【００３９】
内層部２５ｂ2に相当する領域は嵌合部３１ｂが形成されつつ、上下に切断されている。前記嵌合部３１ｂも回転力Ａに起源する水平力に対して、嵌合状態が解除されにくい形状とされており、上方へ突出する台形状の凸部３０と、同凸部３０に対応する凹部２９とが形成されている。
【００４０】
組み立てる際には、リブ壁２５ｂの内層部２５ｂ2に相当する領域を内側に折りたたみ、重なった前記内層部２５ｂ2に相当する領域と外層部２５ｂ1に相当する領域とを接着して、本体壁２５ａに相当する領域に対して直角に折り曲げると、図７に示した形態の側面板２５が完成する。その結果、リブ壁２５ｂは外層部２５ｂ1と内層部２５ｂ2とに、それぞれ一個ずつ嵌合部３１ａ、３１ｂを有する構成となる。そのため、梱包材１を積み重ねて圧縮力が作用しても、上下の分割片２７と２８がズレ動いたりすることなく、回転力Ａに起源する水平力が、上位の分割片２７から下位の分割片２８へ良好に伝達され、上下の分割片２７と２８が一体となって前記水平力に抵抗する。一方、回転力Ｃに対しては本体壁２５ａが前記回転力Ｃに対して抵抗する。
【００４１】
以上より、図７に示す側面板２５は高い圧縮耐力を発揮するので、梱包材１を積み重ねても、下位の梱包材１が押し潰されることがなく、従来の梱包材に比べて、多くの梱包材を積み重ねることができ、運搬効率の向上に寄与できる。ちなみに、リブ壁２５ｂの切断部分を覆うように、着脱可能な補強板３２が設けられていると、より強固に圧縮力に対して抵抗できる。本実施形態の補強板３２は、外層部２５ｂ1から内層部２５ｂ2に巻き付けることができる形状とされており、外層部２５ｂ1側の端部が上位の分割片２７の凸部３０に接着剤（図示は省略）等で接合され、内層部２５ｂ2側の端部が下位の分割片２８の凸部３０にテープファスナー（図示は省略）等で着脱可能に接合されている。
【００４２】
図９は側面板２５を折りたたむ際の手順を示す部分斜視図である。梱包材１の梱包が解かれると、組み立てられた状態から補強板３２の内層部２５ｂ2側の端部の接合状態を解除して、リブ壁２５ｂを本体壁２５ａと平行となるように（矢印Ｅ方向に）広げ、上下方向（矢印Ｄ方向）に折りたたむ。そして、上下の分割片２７、２８を内側（本体壁側）へ折りたたむと、側面板２５の折りたたみ作業は完了し、通例の側面板と同様に、箱体を成す天板と底板との中に収納し、製造メーカーに返却する。本体壁２５ａ、リブ壁２５ｂを折りたたむことで、側面板２５のコンパクト化を実現できる。
【図面の簡単な説明】
【００４３】
【図１】本発明の実施形態１に係る側面板の斜視図である。
【図２】側面板の組み立てる前の状態を示した平面図である。
【図３】側面板を折りたたむ際の手順を示した斜視図である。
【図４】本発明の実施形態２に係る側面板の斜視図である。
【図５】側面板の組み立てる前の状態を示した平面図である。
【図６】側面板を折りたたむ際の手順を示した部分斜視図である。
【図７】本発明の実施形態３に係る側面板の斜視図である。
【図８】側面板の組み立てる前の状態を示した平面図である。
【図９】側面板を折りたたむ際の手順を示した部分斜視図である。
【図１０】従来の梱包材を示す斜視図である。
【図１１】従来の梱包材の折りたたむ際の手順を示した斜視図である。
【符号の説明】
【００４４】
１    リターナブル梱包材
２    被梱包物
３    天板
４    底板
５、１５、２５    側面板
５ａ、１５ａ、２５ａ    本体壁
５ｂ、１５ｂ、２５ｂ    リブ壁
６、１６、２６    折りたたみ部
７、１７、２７    上位の分割片
８、１８、２８    下位の分割片
９、１９、２９    凹部
１０、２０、３０    凸部
１１、２１、３１    嵌合部
【図１】
2008001399.tif 000003
【図２】
2008001399.tif 000004
【図３】
2008001399.tif 000005
【図４】
2008001399.tif 000006
【図５】
2008001399.tif 000007
【図６】
2008001399.tif 000008
【図７】
2008001399.tif 000009
【図８】
2008001399.tif 000010
【図９】
2008001399.tif 000011
【図１０】
2008001399.tif 000012
【図１１】
2008001399.tif 000013